(57)【要約】【課題】  表情等を容易かつ迅速に変えて遊ぶことが出来るようにした人形等玩具を提供する。【解決手段】  人形等の頭部Ｂを後半頭部Ｃと前半頭部Ｄとに分離し、前半頭部は表情、顔を異にする複数とし、両半頭部の分離面12に埋設した磁石11ないし磁石と磁性体11a とで、後半頭部Ｃの分離面へ前半頭部Ｄの分離面12を、着脱自在にかつ交換可能に吸着させた。【選択図】  図８
2005110889.tif 000002
【特許請求の範囲】
【請求項１】
後半頭部Ｃ前面へ、顔面を異にする複数の前半頭部Ｄの一つを、それ等両半頭部の分離面12へ埋設した磁石11ないし磁石と磁性体11a とで着脱自在にかつ前半頭部Ｄの交換が可能に吸着させた
ことを特徴とする顔面可変玩具。
【請求項２】
上記後半頭部Ｃと前半頭部Ｄとの分離面12を、頭部側方からみて、頭髪13生え際上部から両耳後方を通って顎下後端まで、略くの字状に、かつ後半頭部Ｃの分離面12下部に設けた隆起部17を前半頭部が有する凹部18内へ嵌合させて形成した
ことを特徴とする請求項１記載の顔面可変玩具。
【請求項３】
上記隆起部17を含む後半頭部Ｃ下面へ穿設した嵌合穴19の前方筒壁部分下部の切欠き20側方筒壁部分21を弾性壁で形成しておき、上記嵌合穴19内へ嵌合させた玩具体部上端から起立する首５の上端部を、後半頭部Ｃの前方押倒しで離脱可能に形成した
ことを特徴とする請求項２記載の顔面可変玩具。
【請求項４】
上記後半頭部Ｃを複数として、これ等複数後半頭部に植設した頭髪13の髪形ないし髪色をそれぞれ異なるものとした
ことを特徴とする、請求項１、２又は３記載の顔面可変玩具。
【発明の詳細な説明】
【技術分野】
【０００１】
本発明は人形ないし擬人的に顔を付設した各種玩具に関するもので、その顔を別に設けた顔と交換できるよう設けたものである。
【背景技術】
【０００２】
着せ替え人形は古くから知られており、又身体、頭部、髪型をそれぞれ個別に設けておき、それ等の交換が可能とした人形が知られている（特許文献１）。
【０００３】
又人形のまつ毛を複数設けておき、そのまつ毛交換で表情を変化させるようにした人形が知られている（特許文献２）。
【特許文献１】特開２００２−１２６３６３
【特許文献２】特開２００２−２７３０６５
【発明の開示】
【発明が解決しようとする課題】
【０００４】
上記まつ毛交換可能な人形は、交換部分が少ないため変化の度合いが少なく、又身体、頭部、髪型等交換の人形は、身体に対する頭部等取付け状態保持のための特別の工夫はなされていないため、身体に対して外れ易かったり、又その交換が困難となることが予想される。
【０００５】
本発明は、喜怒哀楽により顔の表情が変化することから、表情等を異にする前半頭部を複数設けておき、その一つを選んで後半頭部前面へ交換取付けして遊ぶことが出来るようにすることを主目的とし、又後半頭部に対する前半頭部の着脱が容易かつ確実であると共にそれ等両半頭部外面に表示される継目線を隠すことが出来、更に身体部分に対する後半頭部の交換も容易かつ迅速に行えるよう設けたものである。
【０００６】
尚本発明が云う顔面可変玩具とは、人形以外の顔面を有する動物の玩具、又擬人的に顔を付設した自動車、汽車等を含むものとする。
【課題を解決するための手段】
【０００７】
第１の手段として後半頭部Ｃ前面へ、顔面を異にする複数の前半頭部Ｄの一つを、それ等両半頭部の分離面12へ埋設した磁石11ないし磁石と磁性体11a とで着脱自在にかつ前半頭部Ｄの交換が可能に吸着させた。
【０００８】
第２の手段として、上記第１の手段を有すると共に上記後半頭部Ｃと前半頭部Ｄとの分離面12を、頭部側方からみて、頭髪13生え際上部から両耳後方を通って顎下後端まで、略くの字状に、かつ後半頭部Ｃの分離面12下部に設けた隆起部17を前半頭部が有する凹部18内へ嵌合させて形成した。
【０００９】
第３の手段として、上記第２の手段を有すると共に上記隆起部17を含む後半頭部Ｃ下面へ穿設した嵌合穴19の前方筒壁部分下部の切欠き20側方筒壁部分21を弾性壁で形成しておき、上記嵌合穴19内へ嵌合させた玩具体部上端から起立する首５の上端部を、後半頭部Ｃの前方押倒しで離脱可能に形成した。
【００１０】
第４の手段として、上記第１、第２、又は第３の手段を有すると共に上記後半頭部Ｃを複数として、これ等複数後半頭部に植設した頭髪13の髪形ないし髪色をそれぞれ異なるものとした。
【発明の効果】
【００１１】
請求項１記載のようにすることで、後半頭部に対する前半頭部の着脱が極めて容易であり、適度の強度を有する磁石を選ぶことで玩具使用時に不用意に前半頭部が外れることがなく、又磁力は磁石が近づくに従って引き合う力を高めるから、後半頭部の分離面へ前半頭部を近づけると磁石相互ないし磁石と磁性体とが急速に衝突して音を発し、その音は両半頭部が確実に接着したことを知らせることとなる。更に両磁石ないし磁性体を同一表面積としておくことでそれ等磁石ないし磁性体は互いの表面相互がずれないよう吸着するから両半頭部は位置ずれすることなく接着することとなる。
【００１２】
請求項２のようにすることで、両半頭部分離面外縁の分離線16は頭髪13で隠されることとなってその分離線が人形等顔面の外見を損なうことがない。又その分離線下方部分は顎後方に位置するため、前半頭部交換の際は顎下端を前方へ引くことで両半頭部の磁石による吸着を簡単に外すことが出来、このようにすればその前半頭部交換の際に顔面へ指を触れなくてよいからその顔面を指で汚すおそれもない。更に後半頭部と前半頭部とを一点で磁石で吸着させると、その磁石の吸着部分を中心として前半頭部が後半頭部に対して回動し易いが、隆起部17と凹部18との嵌合でその回動を阻止することが出来る。
【００１３】
、請求項３のようにすることで、首５上端部からの後半頭部Ｃの取外しを容易に行うことが出来る。
【００１４】
請求項４のようにすることで、玩具の変化を更に多様とすることが出来る。
【発明を実施するための最良の形態】
【００１５】
以下図面に示す人形を例にとって説明すると、本発明の顔面可変玩具１は、図７が示す体部Ａと、図４から図６が示す後半頭部Ｃと、図２と図３とが示す前半頭部Ｄとからなり、それ等両半頭部接合で頭部Ｂが形成されるよう設けている。
【００１６】
体部Ａは図示例において、胴部２、手３、脚４を有し、その胴部上面中心から首５を起立する。該首はその上部を上方小径のテーパ部とし、かつそのテーパ部下端外周に係合凹溝６を周設している。尚上記手、脚は着脱自在に、かつ前後への揺動が自在に形成している。
【００１７】
頭部Ｂは、図４、図５、図６が示す後半頭部Ｃと、図１、図２、図３が示す前半頭部Ｄとを磁石11ないし磁石と磁性体11a とで接合させて形成するもので、それ等両半頭部の分離面12は、図８が示すように頭髪13生え際の上部から、両耳14後方を通って顎15の下面後端まで略く字状に分離面外縁の分離線16を有し、又図６が示すように後半頭部の分離面下方にはほぼ三角形状の隆起部17を設け、該隆起部を図３が示すように前半頭部分離面12の下部に設けた凹部18内へ嵌合させて形成している。
【００１８】
磁石11ないし磁性体11a は、上記隆起部17および凹部18上方の分離面部分内へ埋設している。
【００１９】
上記隆起部17を含む後半頭部Ｃの下面へは、既述首５の上部を嵌合させる嵌合穴19を穿設しており、かつその嵌合穴下部の前方筒壁部分へは、切欠き20を設け、その切欠き左右側方の筒壁部分21,21 は、弾性壁としている。
【００２０】
上記切欠き20は、図１、図８が示す前半頭部Ｄを後半頭部Ｃ前面へ磁石等で吸着させた状態から、その前半頭部Ｄの顎15を顎後面へ指をかけて前方へ引くことで取外して図９の状態とし、該状態から後半頭部Ｃの上部を前方へ押せば上記切欠き20左右側方の筒壁部分21,21 が弾性変形することで首５に対して後半頭部Ｃは前方へ倒れ、そのまま押下げることで容易に後半頭部Ｃを外すことが出来る。尚嵌合穴19下端内縁には既述首の係合凹溝６内へ嵌合させて突条22を付設している。
【００２１】
後半頭部Ｃは図１、図４、図５が示すように髪型ないし髪色を異にして複数設けることが望ましい。
【００２２】
前半頭部Ｄは、図１、図２が示すように喜怒哀楽、睡眠等顔面表情を異にする複数を設けるものとする、表情のほか、夏用の前半頭部として日焼けした顔面の前半頭部を設けてもよい。
【００２３】
上記図示例では着替え人形を例にとって説明したが、例えば男子用の公知の変身人形等としてもよく、この場合は変身前の顔面を有するものと、変身後の顔面を有するものとの複数の前半頭部Ｄを用意することとなる。
【００２４】
その他各種のキャラクター、又擬人化により顔を有する自動車、汽車等に適用することも出来る。
【００２５】
尚既述の各主要部材はそれぞれ適宜合成樹脂材で成形した。
【図面の簡単な説明】
【００２６】
【図１】本発明玩具の正面図である。
【図２】図１玩具の前半頭部を変形例で示す拡大正面図である。
【図３】図２前半頭部の後面図である。
【図４】図１玩具の後半頭部を髪型を変えて示す正面図である。
【図５】図４後半頭部を更に髪型を変えて示す正面図である。
【図６】髪を有しない後半頭部を前方からみた斜視図である。
【図７】玩具本体の正面図である。
【図８】玩具本体が有する首部上端へ頭部を嵌合させた状態で示す側面図である。
【図９】前部上端へ、後半頭部を嵌合させた状態で示す側面図である。
【符号の説明】
【００２７】
Ａ  体部                      Ｂ  頭部
Ｃ  後半頭部                  Ｄ  前半頭部
５  首                        11  磁石
11a 磁性体                    12  分離面
16  分離線                    17  隆起部
18  凹部                      20  切欠き
【図１】
2005110889.tif 000003
【図２】
2005110889.tif 000004
【図３】
2005110889.tif 000005
【図４】
2005110889.tif 000006
【図５】
2005110889.tif 000007
【図６】
2005110889.tif 000008
【図７】
2005110889.tif 000009
【図８】
2005110889.tif 000010
【図９】
2005110889.tif 000011